(57)【要約】  【課題】  記録媒体を意識することなく多数のＡＶデータを蓄積的に記録する。  【解決手段】  入力されたＡＶデータは、記録信号処理部１４で所定の信号処理が施され、ＨＤＤ１５に記録される。タイトル管理部１３は、ＡＶデータに関するプレイリスト情報を生成し、生成されたプレイリスト情報がディスクドライブ１６でＤＶＤ２３に記録される。再生時、タイトル制御部１７は、ＤＶＤ２３に記録されたプレイリスト情報に基づきＡＶデータの一覧表示画面を作成し、出力処理部２４を介して出力する。操作部１９への操作により、一覧表示の中から目的のＡＶデータが選択されると、対応するＡＶデータがＨＤＤ１５から読み出され、デコーダ１８でデコードされ、外部で再生される。このように、ユーザは、ＤＶＤにＡＶデータを記録するのと同じ感覚で、記録媒体を意識することなく多数のＡＶデータをＨＤＤ１５に記録し、再生することができる。【選択図】  図１
2007049331.tif 000002
【特許請求の範囲】
【請求項１】
入力された映像信号を蓄積的に記録する第１の記録媒体と、
映像信号が上記第１の記録媒体に記録されたアドレスを示す情報と該映像信号とを関連付けたプレイリスト情報を生成するプレイリスト情報生成部と、
着脱可能な第２の記録媒体にデータを記録する記録部と
を有し、
上記プレイリスト情報生成部で生成された上記プレイリスト情報を上記着脱可能な第２の記録媒体に記録するようにした
ことを特徴とする記録装置。
【請求項２】
請求項１に記載の記録装置において、
上記プレイリスト情報生成部は、
入力された映像信号を上記第１の記録媒体に記録する際に、上記映像信号に基づきプレイリスト情報を生成するようにした
ことを特徴とする記録装置。
【請求項３】
請求項１に記載の記録装置において、
上記プレイリスト情報生成部は、
上記第１の記録媒体に記録された上記映像信号に基づきプレイリスト情報を生成するようにした
ことを特徴とする記録装置。
【請求項４】
請求項１に記載の記録装置において、
上記第２の記録媒体は、
上記映像信号を記録可能な記録媒体である
ことを特徴とする記録装置。
【請求項５】
請求項１に記載の記録装置において、
上記第２の記録媒体に記録された上記プレイリスト情報を消去すると、上記第１の記録媒体に記録された、上記プレイリスト情報に対応する映像信号を消去できる
ことを特徴とする記録装置。
【請求項６】
映像信号が第１の記録媒体に蓄積的に記録されたアドレスを示す情報と該映像信号とを関連付けたプレイリスト情報を、上記着脱可能な第２の記録媒体に記録するようにした
ことを特徴とする記録方法。
【請求項７】
映像信号が第１の記録媒体に蓄積的に記録されたアドレスを示す情報と該映像信号とを関連付けたプレイリスト情報を、上記着脱可能な第２の記録媒体に記録するようにした記録方法をコンピュータプログラムに実行させる
ことを特徴とする記録プログラム。
【請求項８】
入力された映像信号を蓄積的に記録する第１の記録媒体と、
映像信号が上記第１の記録媒体に記録されたアドレスを示す情報と該映像信号とを関連付けたプレイリスト情報を生成するプレイリスト情報生成部と、
着脱可能な第２の記録媒体に上記プレイリスト情報生成部で生成された上記プレイリスト情報を記録し、上記第２の記録媒体に記録された上記プレイリスト情報を再生できる記録再生部と、
上記第２の記録媒体から再生された上記プレイリスト情報に基づき、上記第１の記録媒体に記録された上記映像信号を再生する再生制御部と
を有することを特徴とする記録再生装置。
【請求項９】
請求項８に記載の記録再生装置において、
所定のプロトコルに従い、外部の機器と通信を行う通信インターフェースをさらに有し、
上記再生制御部は、外部から供給されたプレイリスト情報に基づき、上記第１の記録媒体に記録された映像信号を再生できるようにした
ことを特徴とする記録再生装置。
【請求項１０】
入力された映像信号を蓄積的に第１の記録媒体に記録するステップと、
映像信号が上記第１の記録媒体に記録されたアドレスを示す情報と該映像信号とを関連付けたプレイリスト情報を生成するプレイリスト情報生成ステップと、
着脱可能な第２の記録媒体に上記プレイリスト情報生成ステップで生成された上記プレイリスト情報を記録するステップと、
上記第２の記録媒体に記録された上記プレイリスト情報を再生するステップと、
上記第２の記録媒体から再生された上記プレイリスト情報に基づき、上記第１の記録媒体に記録された上記映像信号を再生する再生制御ステップと
を有することを特徴とする記録再生方法。
【発明の詳細な説明】
【技術分野】
【０００１】
この発明は、大容量の記録媒体と着脱可能な記録媒体とを有する記録装置、記録方法および記録プログラム、並びに、記録再生装置および記録再生方法に関する。
【背景技術】
【０００２】
近年、映像や音声が含まれるＡＶ（Audio/Video）データを記録するための記録再生装置として、磁気テープを記録媒体としたＶＴＲ（Video Tape Recorder）に替わり、記録型ＤＶＤ（Digital Versatile Disc）およびＨＤＤ（Hard Disc Drive）を記録媒体としたＨＤＤ搭載型ＤＶＤレコーダといった記録再生装置が急速に普及してきている。このような記録再生装置には、例えばディジタルテレビジョン放送対応のチューナとＥＰＧ（Electronic Program Guide）情報を取得する機能とが設けられ、ＥＰＧ情報に基づき自動的に予約録画を行うことができる。
【０００３】
ＨＤＤ搭載型ＤＶＤレコーダでＡＶデータを記録する場合、ユーザは、ＨＤＤとＤＶＤとから使用する記録媒体を指定して記録を行う。ＡＶデータをＨＤＤへ記録する場合、記録再生装置にＨＤＤが予め搭載されているので、例えば、記録ボタンを押すだけで簡単に記録することができる。また、ＨＤＤの容量が十分に大きい場合には、記録可能時間を気にする必要がなく、多数のＡＶデータを記録することができる。
【０００４】
一方、ＡＶデータをＤＶＤへ記録する場合、記録媒体である記録型ＤＶＤを記録再生装置に設けられたディスクドライブに装着してＡＶデータを記録する。記録型ＤＶＤは、取り外し可能な記録媒体であるので、これまでＶＴＲを記録再生装置として使用してきたユーザにとっては、ＶＴＲと同様に直感的に操作することができる。また、記録されたＡＶデータのタイトルや記録日時などを、例えば、記録媒体の表面や保存用のケースに記入することができるので、例えば、ユーザ毎やジャンル毎などに分けて記録することにより、記録したＡＶデータの分類や管理が容易である。
【０００５】
さらに、ＤＶＤに記録されたＡＶデータを再生する際には、ＤＶＤの表面や保存用のケースに記入された内容から、ＤＶＤに記録されたＡＶデータが確認できるため、記録再生装置の電源を入れることなく、目的のＡＶデータが記録されているＤＶＤを選ぶことができ、そのＤＶＤを記録再生装置に装着して再生を行うという単純な操作が可能である。
【０００６】
図８は、従来の記録再生装置１００の一例の構成を示す。ここでは、記録再生装置１００として、ＨＤＤおよび記録型ＤＶＤを記録媒体として用いるＨＤＤ搭載型ＤＶＤレコーダを用い、ディジタルテレビジョン放送を受信する場合を例にとって説明する。
【０００７】
記録時は、アンテナ１０１で受信したディジタルテレビジョン放送の電波から、ＡＶデータおよびＥＰＧ情報をチューナ１０２で抽出し、抽出されたＡＶデータが記録信号処理部１０４に供給され、ＥＰＧ情報がタイトル管理部１０３に供給される。
【０００８】
タイトル管理部１０３は、ＥＰＧ情報や図示されない操作部に対する操作に応じて、記録信号処理部１０４における記録を制御する記録制御情報を生成し、記録信号処理部１０４に供給する。また、タイトル管理部１０３は、ＥＰＧ情報に基づき、記録する番組の属性情報を示すタイトル情報と、ＤＶＤおよび／またはＨＤＤに記録されるＡＶデータの一覧を示すプレイリスト情報を生成し、セレクタ１１７Ａに供給する。
【０００９】
記録信号処理部１０４は、チューナ１０２から供給されるＡＶデータと、入力端子１１１を介して外部から供給されるＡＶデータとのうち一方のＡＶデータを選択し、記録制御情報に基づきＡＶデータに対して所定の信号処理を施し、セレクタ１１７Ｂに供給する。
【００１０】
セレクタ１１７Ａおよび１１７Ｂは、例えば、図示されない操作部への操作によって選択された記録媒体に、供給された信号を出力するように切り替える。記録媒体としてＨＤＤ１０５が選択された場合、セレクタ１１７Ａは、タイトル管理部１０３から供給されたタイトル情報およびプレイリスト情報をＨＤＤ１０５に出力する。また、セレクタ１１７Ｂは、記録信号処理部１０４から供給されたＡＶデータをＨＤＤ１０５に出力する。ＨＤＤ１０５に供給されたタイトル情報、プレイリスト情報およびＡＶデータは、互いに関連付けられてＨＤＤ１０５に記録される。
【００１１】
一方、記録媒体としてＤＶＤ１１３が選択された場合、セレクタ１１７Ａは、タイトル管理部１０３から供給されたタイトル情報およびプレイリスト情報をマルチプレクサ（ＭＵＸ）部１１５に供給する。また、セレクタ１１７Ｂは、記録信号処理部１０４から供給されたＡＶデータをマルチプレクサ部１１５に供給する。
【００１２】
マルチプレクサ部１１５は、セレクタ１１７Ａおよび１１７Ｂから供給されたタイトル情報、プレイリスト情報およびＡＶデータに対して所定の信号処理を施し、例えばＤＶＤ−ＶＩＤＥＯのフォーマットにマッピングし、ディスクドライブ１０６に供給する。ディスクドライブ１０６は、マルチプレクサ部１１５から供給されたデータに対して、エラー訂正符号化や記録符号化等の処理を施し、さらに変調して記録信号として記録媒体であるＤＶＤ１１３に記録する。
【００１３】
再生時は、記録媒体としてＨＤＤ１０５が選択された場合、ＨＤＤ１０５から読み出されたタイトル情報およびプレイリスト情報がセレクタ１１７Ｃに供給され、ＡＶデータがセレクタ１１７Ｄに供給される。
【００１４】
一方、記録媒体としてＤＶＤ１１３が選択された場合、ディスクドライブ１０６でＤＶＤ１１３からの再生信号が復調され、復調された信号に対して記録符号の復号化やエラー訂正符号の復号化処理を施したデータが読み出され、デマルチプレクサ（ＤｅＭＵＸ）部１１６に供給される。デマルチプレクサ部１１６は、ディスクドライブ１０６から供給されたデータからタイトル情報およびプレイリスト情報とＡＶデータとを取り出す。タイトル情報およびプレイリスト情報は、セレクタ１１７Ｃに供給され、ＡＶデータは、セレクタ１１７Ｄに供給される。
【００１５】
セレクタ１１７Ｃおよび１１７Ｄは、例えば、図示されない操作部への操作によって選択された記録媒体から信号が供給されるように切り替える。セレクタ１１７Ｃは、ＨＤＤ１０５またはデマルチプレクサ部１１６から入力されたタイトル情報およびプレイリスト情報をタイトル制御部１０７に供給する。また、セレクタ１１７Ｄは、ＨＤＤ１０５またはデマルチプレクサ部１１６から入力されたＡＶデータをデコーダ１０８に供給する。
【００１６】
タイトル制御部１０７は、操作部１０９に対する操作に応じて、セレクタ１１７Ｃから供給されたタイトル情報およびプレイリスト情報に基づき、ＡＶデータのファイル名やタイトルなどの情報を一覧表示した画面を作成し、出力処理部１１４に供給する。また、タイトル制御部１０７は、ユーザが図示されない操作部に対して操作することにより選択されたＡＶデータの再生を制御する再生制御情報を生成し、デコーダ１０８に供給する。
【００１７】
デコーダ１０８は、タイトル制御部１０７からの再生制御情報に基づき、セレクタ１１７Ｄから供給されたＡＶデータをデコードし、出力処理部１１４に供給する。出力処理部１１４は、デコーダ１０８から供給されたＡＶデータやタイトル制御部１０７から供給された一覧表示画面を、出力端子１１２を介して外部に出力し、外部に接続されたテレビジョン受像機やモニタ装置などの表示装置により映像の表示や音声の出力が行われる。
【００１８】
このように、ＨＤＤ搭載型ＤＶＤレコーダでは、テレビジョン番組や外部から供給されたＡＶデータを記録する際に、ユーザが記録媒体を選択して記録するようにしている。そのため、ユーザは、ＨＤＤおよびＤＶＤのどちらの記録媒体を用いて記録しているのかを意識して使用する必要がある。また、記録媒体に記録されたＡＶデータを再生する場合においても、ユーザは、記録した番組がどの記録媒体に記録されているのかを意識して検索や再生を行う必要がある。特許文献１には、複数の記録系統から適切な記録系統を自動的に選択する技術が記載されている。
【００１９】
【特許文献１】特開２００５−７９９５５号公報
【発明の開示】
【発明が解決しようとする課題】
【００２０】
ＡＶデータをＤＶＤへ記録する場合は、ＤＶＤの規格により記録容量が限られているため、限られた容量のＡＶデータしか１枚のＤＶＤに記録することができないという問題点があった。そのため、例えば、１枚のＤＶＤの記録容量を超えるような大容量のＡＶデータを記録する際には、一旦ＨＤＤへ記録し、その後、例えば、分割して複数枚のＤＶＤに記録したり、画質を落としてＡＶデータの容量を減らして１枚のＤＶＤに収まるようにして記録する必要があった。
【００２１】
これに対して、ＨＤＤは、ＤＶＤに比べて大容量ものが普及しており、大容量のＡＶデータや多数のＡＶデータを記録することができる。ところが、ＨＤＤに記録する場合にも以下のような問題点があった。複数のユーザが１つの記録再生装置を共用し、ＨＤＤにＡＶデータを記録する場合、ＨＤＤ内には、複数のユーザが記録したＡＶデータが混在してしまう。記録再生装置によっては、例えば、ＨＤＤにユーザ別のフォルダを設け、記録されたＡＶデータを管理する機能を有するものがある。しかしながら、ＡＶデータを記録する際に、記録先のフォルダをいちいち設定しなければならず、操作が煩わしいため、この機能は、あまり利用されていないことが多い。そのため、ＨＤＤに記録されている多数のＡＶデータの中から特定のユーザが記録したＡＶデータを検索することが困難であるという問題点があった。
【００２２】
さらに、記録されたＡＶデータを検索するためには、レコーダの電源を入れて、タイトル一覧画面で目的のＡＶデータを検索する必要があり、目的のＡＶデータを再生するまでに時間がかかるという問題点があった。特に、多数のＡＶデータが記録されている場合、記録されたＡＶデータを一覧表示する画面が複数のページにわたり、その中から目的のＡＶデータを選択するのが困難である。
【００２３】
従って、この発明の目的は、記録媒体を意識することなくＡＶデータを蓄積的に記録することができる記録装置、記録方法および記録プログラム、並びに、記録再生装置および記録再生方法を提供することにある。
【００２４】
また、この発明の別の目的は、蓄積的に記録された多数のＡＶデータの中から自分が記録したＡＶデータを容易に検索することができる記録装置、記録方法および記録プログラム、並びに、記録再生装置および記録再生方法を提供することにある。
【課題を解決するための手段】
【００２５】
上述した課題を解決するために、第１の発明は、入力された映像信号を蓄積的に記録する第１の記録媒体と、映像信号が第１の記録媒体に記録されたアドレスを示す情報と映像信号とを関連付けたプレイリスト情報を生成するプレイリスト情報生成部と、着脱可能な第２の記録媒体にデータを記録する記録部とを有し、プレイリスト情報生成部で生成されたプレイリスト情報を着脱可能な第２の記録媒体に記録するようにしたことを特徴とする記録装置である。
【００２６】
また、第２の発明は、映像信号が第１の記録媒体に蓄積的に記録されたアドレスを示す情報と映像信号とを関連付けたプレイリスト情報を、着脱可能な第２の記録媒体に記録するようにしたことを特徴とする記録方法である。
【００２７】
また、第３の発明は、映像信号が第１の記録媒体に蓄積的に記録されたアドレスを示す情報と映像信号とを関連付けたプレイリスト情報を、着脱可能な第２の記録媒体に記録するようにした記録方法をコンピュータプログラムに実行させることを特徴とする記録プログラムである。
【００２８】
また、第４の発明は、入力された映像信号を蓄積的に記録する第１の記録媒体と、映像信号が第１の記録媒体に記録されたアドレスを示す情報と映像信号とを関連付けたプレイリスト情報を生成するプレイリスト情報生成部と、着脱可能な第２の記録媒体にプレイリスト情報生成部で生成されたプレイリスト情報を記録し、第２の記録媒体に記録されたプレイリスト情報を再生できる記録再生部と、第２の記録媒体から再生されたプレイリスト情報に基づき、第１の記録媒体に記録された映像信号を再生する再生制御部とを有することを特徴とする記録再生装置である。
【００２９】
また、第５の発明は、入力された映像信号を蓄積的に第１の記録媒体に記録するステップと、映像信号が第１の記録媒体に記録されたアドレスを示す情報と映像信号とを関連付けたプレイリスト情報を生成するプレイリスト情報生成ステップと、着脱可能な第２の記録媒体にプレイリスト情報生成ステップで生成されたプレイリスト情報を記録するステップと、第２の記録媒体に記録されたプレイリスト情報を再生するステップと、第２の記録媒体から再生されたプレイリスト情報に基づき、第１の記録媒体に記録された映像信号を再生する再生制御ステップとを有することを特徴とする記録再生方法である。
【００３０】
上述したように、第１、第２および第３の発明は、映像信号が第１の記録媒体に蓄積的に記録されたアドレスを示す情報と、映像信号とを関連付けたプレイリスト情報を着脱可能な第２の記録媒体に記録するようにしているため、第２の記録媒体に映像信号を記録する場合に比べて多数の映像信号を記録することができる。
【００３１】
また、第４および第５の発明は、映像信号が第１の記録媒体に蓄積的に記録されたアドレスを示す情報と、映像信号とを関連付けたプレイリスト情報を、着脱可能な第２の記録媒体に記録し、第２の記録媒体に記録されたプレイリスト情報に基づき、第１の記録媒体に記録された映像信号を再生するようにしているため、第１の記録媒体に記録された映像信号の中から目的の映像信号を容易に再生することができる。
【発明の効果】
【００３２】
この発明は、ＡＶデータを着脱可能な記録媒体に記録するのと同様の操作で、ＡＶデータを大容量の記録媒体に記録するようにしているため、記録媒体を意識することなく、着脱可能な記録媒体に記録する場合に比べて多数のＡＶデータを記録することができるという効果がある。
【００３３】
また、この発明は、着脱可能な記録媒体に記録されたプレイリスト情報に基づき、大容量の記録媒体に記録されたＡＶデータを再生するようにしているため、大容量の記録媒体に記録されたＡＶデータの中から自分で記録したＡＶデータを容易に検索することができるという効果がある。
【発明を実施するための最良の形態】
【００３４】
以下、この発明の実施の第１の形態について説明する。この発明は、映像や音声が含まれたＡＶ（Audio/Video）データを、記録再生装置に搭載された大容量の記録媒体に記録し、記録再生装置とＡＶデータとの対応関係を示す情報を着脱可能な記録媒体に記録する。そして、記録再生装置に搭載された大容量の記録媒体に記録されたＡＶデータを再生する際には、記録再生装置に着脱可能な記録媒体を装着することにより、着脱可能な記録媒体に記録された管理情報に基づき、記録再生装置に搭載された大容量の記録媒体に記録されたＡＶデータを再生するようにしている。
【００３５】
図１は、この発明の実施の第１の形態による記録再生装置１の動作を説明するための一例の機能ブロック図である。この例では、記録再生装置１は、記録再生装置に搭載された大容量の記録媒体としてＨＤＤ（Hard Disc Drive）を用い、着脱可能な記録媒体として記録型ＤＶＤ（Digital Versatile Disc）を用いたＨＤＤ搭載型ＤＶＤレコーダである場合について説明し、また、ディジタルテレビジョン放送を受信する場合について説明する。
【００３６】
アンテナ１１は、ディジタルテレビジョン放送の電波を受信し、チューナ１２に供給する。チューナ１２は、アンテナ１１から供給された電波を復調して、選択されたチャンネルの信号を取り出す。そして、チューナ１２は、取り出された信号からＡＶデータとＥＰＧ情報とを抽出し、抽出されたＡＶデータを記録信号処理部１４に供給し、ＥＰＧ情報をタイトル管理部１３に供給する。
【００３７】
タイトル管理部１３は、チューナ１２から供給されたＥＰＧ情報や、操作部１９の操作に応じて、記録信号処理部１４における記録を制御する記録制御情報を生成し、記録信号処理部１４に供給する。また、タイトル管理部１３は、ＥＰＧ情報に基づき、記録する番組の属性情報を示すタイトル情報を生成し、生成されたタイトル情報をＨＤＤ１５に供給する。さらに、タイトル管理部１３は、ＨＤＤ１５に記録されるＡＶデータに関するプレイリスト情報を生成し、生成されたプレイリスト情報をディスクドライブ１６に供給する。
【００３８】
記録信号処理部１４は、チューナ１２から供給されるＡＶデータと、入力端子２１を介して外部から供給されるＡＶデータとのうち一方のＡＶデータを、例えば、操作部１９への操作に応じて選択し、選択されたＡＶデータに対して所定の信号処理、例えばＭＰＥＧ２（Moving Picture Experts Group 2）方式に準じた圧縮符号化処理を施す。圧縮符号化処理が施されたＡＶデータは、タイトル管理部１３から供給される記録制御情報に基づきＨＤＤ１５に供給され、タイトル情報およびプレイリスト情報と関連付けられて記録される。
【００３９】
ディスクドライブ１６は、タイトル管理部１３から供給されたプレイリスト情報をＤＶＤ２３に記録する。また、ディスクドライブ１６は、ＤＶＤ２３に記録されたプレイリスト情報を読み出し、タイトル制御部１７に供給する。
【００４０】
タイトル制御部１７は、ディスクドライブ１６から供給されたプレイリスト情報に基づき、ＡＶデータのファイル名やタイトルなどの情報を一覧表示した画面を作成し、出力処理部２４に供給する。また、タイトル制御部１７は、ユーザの操作部１９に対する操作により選択されたＡＶデータを再生するための再生制御情報を生成し、デコーダ１８に供給する。
【００４１】
デコーダ１８は、タイトル制御部１７からの再生制御情報に基づき、ＨＤＤ１５から供給されたＡＶデータをデコードし、出力処理部２４に供給する。出力処理部２４は、デコーダ１８から供給されたＡＶデータやタイトル制御部１７から供給された一覧表示画面を、出力端子２２を介して外部に出力する。外部には、テレビジョン受像機やモニタ装置などの表示装置が接続され、映像の表示や音声の出力が行われる。
【００４２】
操作部１９は、記録再生装置１のパネルに設けられた操作部や、リモートコントロールコマンダなどが用いられ、録画予約や再生時の検索などの際に操作される。リモートコントロールコマンダは、例えば、赤外線信号を用いて記録再生装置１を操作することができる。リモートコントロールコマンダは、ユーザの操作により、操作に応じた制御信号を生成する。生成された制御信号は、赤外線信号に変調されて送信される。リモートコントロールコマンダから送信された赤外線信号は、記録再生装置１の図示されない赤外線受光部により受信され、制御信号に復調される。復調された制御信号は、ＣＰＵ２０に供給される。
【００４３】
ＣＰＵ（Central Processing Unit）２０は、図示されないＲＯＭ（Read Only Memory）に予め記憶されたプログラムに従い、例えば操作部１９から供給された制御信号に応じて、記録再生装置１の各部を制御する。
【００４４】
図２は、タイトル管理部１３で生成されるプレイリスト情報の一例を示す。プレイリスト情報は、ＨＤＤ１５に記録されたＡＶデータそれぞれと、ＡＶデータのアドレスとの関係を表す情報である。この図２の例では、プレイリスト情報は、「機器ＩＤ」、「タイトル」および「ファイル名（パス）」の項目からなる。「機器ＩＤ」は、記録再生装置を識別するための、記録再生装置に固有の情報を示す。「タイトル」は、ＨＤＤ１５に記録されたＡＶデータのタイトルを示す。タイトルは、例えば、ＥＰＧ情報に基づく。「ファイル名（パス）」は、ＨＤＤ１５に記録されたＡＶデータのファイル名およびＡＶデータが記録されている場所を示す。
【００４５】
次に、この発明の実施の第１の形態による記録再生装置１の動作について説明する。ディジタルテレビジョン放送によるＡＶデータを記録する場合、アンテナ１１で受信したディジタルテレビジョン放送の電波がチューナ１２に供給され、チューナ１２で復調されて、選択されたチャンネルの信号が取り出され、取り出された信号からＡＶデータとＥＰＧ情報が抽出される。抽出されたＡＶデータは、記録信号処理部１４に供給される。また、ＥＰＧ情報は、タイトル管理部１３に供給される。
【００４６】
タイトル管理部１３は、ＥＰＧ情報に基づきタイトル情報を生成し、生成されたタイトル情報をＨＤＤ１５に記録する。また、タイトル管理部１３は、記録するＡＶデータに関するプレイリスト情報を生成し、生成されたプレイリスト情報をディスクドライブ１６に供給し、ディスクドライブ１６に装着されたＤＶＤ２３に記録する。なお、タイトル情報は、ＤＶＤ２３に記録するようにしてもよい。
【００４７】
プレイリスト情報を記録するための記録型ＤＶＤとして、ＤＶＤ−Ｒ（Digital Versatile Disc -Recordable）やＤＶＤ＋Ｒ（Digital Versatile Disc +R format）を使用する場合は、例えば、インクリメンタルライト記録方式用いてプレイリスト情報を記録する。ディスクの排出時などにファイナライズ処理を行わないことで、後述するプレイリスト情報の追記や消去に対応することができる。もちろん、ＤＶＤ２３としてＤＶＤ−ＲＷ（Digital Versatile Disc -Rerecordable）やＤＶＤ＋ＲＷ（Digital Versatile Disc +RW format）、ＤＶＤ−ＲＡＭ（Digital Versatile Disc -Rewritable）などを用いることもできる。また、ＤＶＤ２３への記録方式として、パケットライト記録方式を用いることもできる。
【００４８】
さらに、タイトル管理部１３は、供給されたＥＰＧ情報、操作部１９対する操作、プレイリスト情報などに基づき、ＨＤＤ１５に対するＡＶデータの記録を制御するための記録制御情報を生成し、記録信号処理部１４に供給する。記録信号処理部１４は、供給されたＡＶデータに対して所定の信号処理を施し、タイトル管理部１３から供給された記録制御情報に基づきＡＶデータをＨＤＤ１５に記録する。
【００４９】
再生時の処理について説明する。ユーザは、ディスクドライブ１６に対してプレイリスト情報が記録されたＤＶＤ２３を装着し、操作部１９に対してタイトル検索を指示する操作を行う。タイトル制御部１７は、この指示に応じて、ディスクドライブ１６に装着されたＤＶＤ２３からプレイリスト情報を読み出し、プレイリスト情報に記述された機器ＩＤと記録再生装置１の機器ＩＤとの照合を行う。照合の結果、機器ＩＤが合致した場合、タイトル制御部１７は、プレイリスト情報に記述されたＡＶデータのタイトルやファイル名などの情報を一覧表示した画面を作成する。作成された一覧表示画面は、出力処理部２４を介して外部の表示装置等に出力される。
【００５０】
ユーザが操作部１９を操作して、一覧表示されたＡＶデータの中から目的のＡＶデータを選択すると、タイトル制御部１７は、プレイリスト情報に記述されたパスに基づき、選択されたＡＶデータを再生するための再生制御情報を生成し、デコーダ１８に供給する。デコーダ１８は、タイトル制御部１７から供給された再生制御情報に基づき、ＨＤＤ１５からＡＶデータを読み出し、読み出されたＡＶデータをデコードする。デコードされたＡＶデータは、出力処理部２４に供給され、出力端子２２を介して外部に出力され、表示装置等で再生される。
【００５１】
このように、記録時は、ＡＶデータをＨＤＤ１５に記録し、プレイリスト情報をＤＶＤ２３に記録する。また再生時は、ディスクドライブ１６に装着されたＤＶＤ２３に記録されたプレイリスト情報に基づき、ＨＤＤ１５に記録されたＡＶデータを再生する。すなわち、ユーザには、恰もＤＶＤ２３に記録されたＡＶデータを再生しているかのように見える。
【００５２】
なお、一覧表示画面を作成する際に、それぞれのＡＶデータの所定のフレーム画像からサムネイル画像を作成し、一覧表示画面にサムネイル画像とファイル名やタイトルなどの情報とを対応付けて表示すると、ユーザがＡＶデータの内容を容易に判別することができ、好ましい。
【００５３】
一覧表示の際にサムネイル画像を用いる場合、例えば、タイトル制御部１７は、ディスクドライブ１６に装着されたＤＶＤ２３からプレイリスト情報を読み出し、プレイリスト情報に基づき、対応するＡＶデータの所定のフレーム画像をＨＤＤ１５から読み出し、所定に間引いて縮小したサムネイル画像を作成する。そして、プレイリスト情報に基づき、ＡＶデータのファイル名やタイトルといったＡＶデータの属性情報と作成されたサムネイル画像とを対応付けて表示させた一覧表示画面を作成する。
【００５４】
サムネイル画像を作成する時に読み出されるフレーム画像としては、例えば、ＡＶデータの先頭フレームにあたるフレーム画像や、ＡＶデータの先頭から５秒後や１０秒後など、所定時間経過後のフレーム画像を用いることができる。
【００５５】
また、サムネイル画像は、再生時にＤＶＤ２３からプレイリスト情報を読み出す際に作成されるように説明したが、これに限らず、例えば、ＡＶデータをＨＤＤ１５に記録する際に、サムネイル画像を予め作成し、ＨＤＤ１５に記録するようにしてもよい。また、これに限らず、ＤＶＤ２３に記録してもよい。
【００５６】
なお、一覧表示画面にサムネイル画像を用いる場合は、プレイリスト情報に記述されたパスに基づくＡＶデータの所定のフレーム画像がＨＤＤ１５から読み出され、読み出されたフレーム画像からサムネイル画像を作成し、作成されたサムネイル画像とタイトルとを対応付けて表示させた一覧表示画面が表示される。ユーザが操作部１９を操作して、一覧表示されたＡＶデータの中から目的のＡＶデータに対応するサムネイル画像を選択すると、プレイリスト情報に記述されたパスに基づき、選択されたサムネイル画像に対応するＡＶデータがＨＤＤ１５から読み出され、デコードされて再生される。
【００５７】
また、サムネイル画像を予めＨＤＤ１５またはＤＶＤ２３に記録しておく場合は、サムネイル画像のファイル名およびパスをプレイリスト情報に記述しておく。そして、一覧表示画面を作成する際に、プレイリスト情報に記述されたサムネイル画像のパスに基づいてサムネイル画像をＨＤＤ１５またはＤＶＤ２３から読み出すようにする。
【００５８】
この発明の実施の第１の形態による記録再生装置１では、複数のＤＶＤを用いてプレイリスト情報を生成し、ＡＶデータをＨＤＤ１５に記録することができる。例えば、図３に示すように、ＡＶデータを記録するために、ユーザＡがＤＶＤ２３を用意し、ユーザＢがＤＶＤ２３’を用意した場合について考える。ユーザＡがＤＶＤ２３を用いてＡＶデータ「ＸＸＸ．ｍｐｇ」、「ＹＹＹ．ｍｐｇ」および「ＡＡＡ．ｍｐｇ」を記録する場合、ＤＶＤ２３には、ＡＶデータ「ＸＸＸ．ｍｐｇ」、「ＹＹＹ．ｍｐｇ」および「ＡＡＡ．ｍｐｇ」に関するプレイリスト情報が記録される。また、ユーザＢがＤＶＤ２３’を用いてＡＶデータ「ＺＺＺ．ｍｐｇ」および「ＢＢＢ．ｍｐｇ」を記録する場合、ＤＶＤ２３’には、ＡＶデータ「ＺＺＺ．ｍｐｇ」および「ＢＢＢ．ｍｐｇ」に関するプレイリスト情報が記録される。ＨＤＤ１５には、ＡＶデータ「ＸＸＸ．ｍｐｇ」、「ＹＹＹ．ｍｐｇ」、「ＺＺＺ．ｍｐｇ」、「ＡＡＡ．ｍｐｇ」および「ＢＢＢ．ｍｐｇ」が記録されることになる。
【００５９】
再生時には、例えば、ユーザＡがＤＶＤ２３をディスクドライブ１６に装着すると、ＤＶＤ２３に記録されたプレイリスト情報が読み出され、読み出されたプレイリスト情報に基づき、ＡＶデータ「ＸＸＸ．ｍｐｇ」、「ＹＹＹ．ｍｐｇ」および「ＡＡＡ．ｍｐｇ」に関するタイトルやサムネイル画像が一覧表示される。そして、ユーザが操作部１９を操作して目的のＡＶデータ、例えば「ＹＹＹ．ｍｐｇ」のタイトルやサムネイル画像を選択すると、プレイリスト情報に記述されたパスに基づきＨＤＤ１５からＡＶデータ「ＹＹＹ．ｍｐｇ」が読み出され、デコードされて再生される。
【００６０】
また、例えば、ユーザＢがＤＶＤ２３’をディスクドライブ１６に装着すると、上述と同様に、ＤＶＤ２３’に記録されたプレイリスト情報が読み出され、読み出されたプレイリスト情報に基づき、「ＺＺＺ．ｍｐｇ」および「ＢＢＢ．ｍｐｇ」に関するタイトルやサムネイル画像が一覧表示される。そして、ユーザが操作部１９を操作して目的のＡＶデータ、例えば「ＺＺＺ．ｍｐｇ」のタイトルやサムネイル画像を選択すると、プレイリスト情報に記述されたパスに基づきＨＤＤ１５からＡＶデータ「ＺＺＺ．ｍｐｇ」が読み出され、デコードされて再生される。
【００６１】
このように、ＡＶデータを記録する際に用いたＤＶＤをディスクドライブ１６に装着することにより、当該ＤＶＤに記録されたプレイリスト情報に記述されているＡＶデータについてのファイル名やタイトル情報、サムネイル画像などが一覧表示されるため、ユーザには、恰も一覧表示されたＡＶデータが２３に記録されているかのように見える。従って、ユーザは、実際にはＨＤＤ１５に記録されているＡＶデータを、ＤＶＤを用いて再生することができる。即ち、ユーザはＤＶＤに記録されたＡＶデータを再生するのと同じ感覚でＨＤＤ１５を意識することなくＨＤＤ１５に記録されたＡＶデータを再生することができる。
【００６２】
ＤＶＤ２３に記録されるプレイリスト情報は、ＡＶデータに比べてデータサイズが非常に小さいので、ＤＶＤ２３に対して高速で記録することができる。ＨＤＤ１５の容量が大きい場合には、１枚のＤＶＤに、多数のＡＶデータのプレイリスト情報を記録することができる。即ち、１枚のＤＶＤに、多数のＡＶデータを仮想的に記録するすることができる。
【００６３】
さらに、ＨＤＤ１５に記録されたＡＶデータは、記録時に用いられたＤＶＤ２３により分類・管理されるので、例えば、ユーザ毎にＤＶＤを使用して、個別に管理することにより、ＡＶデータに対する視聴制限を容易に行うことができる。
【００６４】
なお、記録再生装置１は、プレイリスト情報が記録されたＤＶＤ２３だけでなく、ＤＶＤ−ＶＩＤＥＯ形式でＡＶデータが記録されたＤＶＤを再生するようにできる。例えば、ディスクドライブ１６は、ＤＶＤに記録されているデータのディレクトリや拡張子を示す情報をＣＰＵ２０に供給する。ＤＶＤ−ＶＩＤＥＯは、ディレクトリやファイルの構造が予め規定されているので、ＣＰＵ２０は、供給された情報に基づき、ディスクドライブ１６に装着されたＤＶＤがプレイリスト情報を記録したＤＶＤであるか、ＤＶＤ−ＶＩＤＥＯ形式のＤＶＤであるかを判断する。
【００６５】
ディスクドライブ１６に装着されたＤＶＤに記録されているデータが、ＤＶＤ−ＶＩＤＥＯ形式のディレクトリやファイル構造である場合、ＣＰＵ２０は、このＤＶＤがＤＶＤ−ＶＩＤＥＯ形式のＤＶＤであると判断し、再生を行う。
【００６６】
ＨＤＤ１５に記録されたＡＶデータを消去する場合について説明する。ＨＤＤ１５に記録されたＡＶデータを直接消去した場合、ＨＤＤ１５に記録されているＡＶデータと、ＤＶＤ２３に記録されているプレイリスト情報との整合がとれなくなってしまう。そのため、ＨＤＤ１５に記録されたＡＶデータを消去する場合は、例えば、ＤＶＤ２３に記録されたプレイリスト情報を消去することにより、ＨＤＤ１５に記録された当該プレイリスト情報に対応付けられたＡＶデータを消去できるようにし、ＨＤＤ１５から直接ＡＶデータを消去することを禁止するとよい。
【００６７】
例えば、タイトル制御部１７は、ディスクドライブ１６に装着されたＤＶＤ２３からプレイリスト情報を読み出し、一覧表示画面を作成する。ユーザが操作部１９を操作することにより、一覧表示画面に表示されたＡＶデータのタイトルやサムネイル画像の中から消去したいＡＶデータ選択する。タイトル制御部１７は、プレイリスト情報から所定のＡＶデータに関する情報を消去するための消去情報を生成し、ディスクドライブ１６に供給する。
【００６８】
ディスクドライブ１６は、タイトル制御部１７から供給された消去情報に基づき、ディスクドライブ１６に装着されているＤＶＤ２３に記録されたプレイリスト情報から、選択されたＡＶデータに対応するＤＶＤ２３のプレイリスト情報から該当する項目を消去する。プレイリスト情報から該当する項目が消去されたことがタイトル制御部１７で確認されると、ＨＤＤ１５に記録された対応するＡＶデータが消去される。
【００６９】
なお、ＤＶＤ２３として、例えば、ＤＶＤ−ＲやＤＶＤ＋Ｒを使った場合は、既に記録されたＡＶデータを消去することが物理上できない。そのため、ＨＤＤ１５に記録されたＡＶデータを消去する際には、ＡＶデータの消去が反映されたプレイリスト情報を新たに作成し、次のボーダまたはセッションに書き込むようにするとよい。記録再生装置１は、常に最新のプレイリスト情報を用いるようにする。
【００７０】
また、ＤＶＤ２３として、例えば、ＤＶＤ−ＲＷやＤＶＤ＋ＲＷ、ＤＶＤ−ＲＡＭを使用する場合は、プレイリスト情報そのものを上書きするか、プレイリスト情報の変更箇所だけを上書きすることにより、プレイリスト情報から該当する項目を消去することができる。
【００７１】
記録再生装置の故障など、何らかの理由により、ＨＤＤ１５に記録されたＡＶデータが消去されてしまった場合には、消去されたＡＶデータに対応するプレイリスト情報が記録されたＤＶＤ２３を装着しても、ＡＶデータを再生することはできない。このような場合には、例えば当該ＡＶデータが見つからないことを表示するとよい。
【００７２】
なお、例えば、ＰＣ（Personal Computer）に搭載されたディスクドライブにプレイリスト情報が記録されているＤＶＤ２３を装着し、プレイリスト情報の内容やサムネイル画像を確認できるようにしてもよい。
【００７３】
図４は、図１に示す記録再生装置１の機能を実現するための一例の構成を示すブロック図である。バス３３にＣＰＵ２０が接続され、ＣＰＵ２０は、ＲＯＭ３０やＨＤＤ１５に予め記憶されたプログラムに従い、ＲＡＭ３１をプログラム実行の際のワークメモリとして用いて、記録再生装置１の各部を制御する。
【００７４】
バス３３にチューナ１２が接続され、チューナ１２は、アンテナ１１で受信したディジタルテレビジョン放送の電波を復調し、選択されたチャンネルの信号を取り出し、取り出した信号からＡＶデータおよびＥＰＧ情報を抽出する。抽出されたＡＶデータおよびＥＰＧ情報は、バス３３を介してＣＰＵ２０に供給される。
【００７５】
ＣＰＵ２０は、ＥＰＧ情報に基づき、タイトル情報およびプレイリスト情報を生成する。バス３３には、ＨＤＤ１５およびディスクドライブ１６が接続され、ＣＰＵ２０は、生成されたタイトル情報をバス３３を介してＨＤＤ１５に記録する。また、ＣＰＵ２０は、生成されたプレイリスト情報をバス３３を介してディスクドライブ１６に供給し、ディスクドライブ１６に装着されたＤＶＤ２３にプレイリスト情報を記録する。さらに、ＣＰＵ２０は、ＡＶデータに対して所定の信号処理を施し、ＨＤＤ１５に記録する。なお、専用のハードウェアを用いて、ＡＶデータに対して所定の信号処理を施すようにしてもよい。
【００７６】
再生時には、ディスクドライブ１６にプレイリスト情報が記録されたＤＶＤ２３が装着され、操作部１９の操作に応じて検索が指示されると、ＣＰＵ２０は、ディスクドライブ１６に装着されたＤＶＤ２３からバス３３を介してプレイリスト情報を読み出し、プレイリスト情報に基づき、ＡＶデータのタイトルやファイル名などの情報を一覧表示した画面を作成する。作成された一覧表示画面は、バス３３に接続された入出力インターフェース３２を介して外部に出力され、外部に接続された表示装置等で表示される。
【００７７】
ユーザの操作部１９に対する操作により、一覧表示されたＡＶデータの中から目的のＡＶデータが選択されると、ＣＰＵ２０は、プレイリスト情報に基づき、ＨＤＤ１５からＡＶデータを読み出し、読み出されたＡＶデータをデコードする。なお、専用のハードウェアを用いて、ＡＶデータをデコードするようにしてもよい。デコードされたＡＶデータは、入出力インターフェース３２を介して外部に出力され、表示装置で再生される。
【００７８】
次に、この発明の実施の第１の形態の変形例について説明する。この実施の第１の形態の変形例では、ＨＤＤ１５に記録されたＡＶデータに基づいてプレイリスト情報を生成し、生成されたプレイリスト情報をＤＶＤ２３に記録するようにしている。
【００７９】
タイトル制御部１７は、ＨＤＤ１５に記録されているタイトル情報に基づき、ＨＤＤ１５に記録されているＡＶデータのタイトルや内容の一覧表示画面を作成する。作成された一覧表示画面に表示されたＡＶデータの中から、ユーザが操作部１９を操作することにより、新たにプレイリスト情報を生成するＡＶデータが選択される。タイトル管理部１３は、ユーザによるＡＶデータの選択に基づき、選択されたＡＶデータに関するプレイリスト情報を生成し、ディスクドライブ１６に供給する。ディスクドライブ１６は、タイトル管理部１３から供給されたプレイリスト情報をＤＶＤ２３に記録する。
【００８０】
こうすることにより、ＨＤＤ１５に記録されたＡＶデータの中から、目的のＡＶデータを再生するためのＤＶＤを作成することができる。また、新たにプレイリスト情報を生成してＤＶＤに記録することにより、例えば、プレイリスト情報が記録されたＤＶＤを紛失した場合や、破損等によりプレイリスト情報を読み出すことができなくなってしまった場合などに対応できる。さらに、ライブラリ的な使い方をすることもできる。
【００８１】
なお、プレイリスト情報は、ＡＶデータをＨＤＤ１５に記録する際に、ＤＶＤ２３に記録するだけでなく、ＨＤＤ１５にも記録するようにしてもよい。こうすることで、ＨＤＤ１５に記録されたプレイリスト情報に基づき、ＤＶＤ２３に記録するプレイリスト情報を生成することができる。
【００８２】
次に、この発明の実施の第２の形態について説明する。この発明の実施の第２の形態では、図５に示すように、記録再生装置１および１’に通信インターフェースを設け、記録再生装置１および１’をネットワーク２で接続し、ネットワーク２を介して記録再生装置１と記録再生装置１’との間でプレイリスト情報およびＡＶデータの通信を行うようにしている。
【００８３】
ネットワーク２は、例えば、ＬＡＮ（Local Area Network）であって、ＴＣＰ／ＩＰ（Transmission Control Protocol/Internet Protocol）をプロトコルとして用い、接続された記録再生装置間での送受信を行う。複数の記録再生装置をＴＣＰ／ＩＰによるネットワーク２で接続した場合、例えば、ネットワーク２で接続された記録再生装置のうち、１台の記録再生装置がサーバの役割を担う。そして、サーバとしての記録再生装置は、ネットワーク２上で各記録再生装置を識別できるようにするため、各期録再生装置に設定されているＭＡＣ（Media Access Control）アドレスに対して固有なＩＰアドレスをそれぞれ割り当てる。なお、これに限られず、例えば、ネットワーク２上に新たにサーバを設け、各記録再生装置に対してＩＰアドレスを割り当てるようにしてもよい。
【００８４】
図６は、この発明の実施の第２の形態に適用可能なプレイリスト情報の一例を示す。機器ＩＤには、例えば、各記録再生装置に割り当てられるＩＰアドレスを用いることができる。ファイル名およびパスは、例えば、ＵＲＬ（Uniform Resource Locator）により記述される。また、サムネイル画像を予め作成してＨＤＤ１５やＤＶＤ２３に記録しておく場合には、それぞれのＡＶデータに対応したサムネイル画像のファイル名およびパスをＵＲＬにより記述する。この図６の例では、異なる２台の記録再生装置１および１’で作成されたプレイリスト情報が１枚のＤＶＤ２３に記録されている。
【００８５】
図７は、この発明の実施の第２の形態に適用可能な記録再生装置１’の一例の構成を示す。なお、上述の図１と共通する部分については、同一の符号を付し、説明を省略する。通信インターフェース４０は、ネットワーク２を介して接続された外部の映像機器との通信を、所定のプロトコルに従い制御する。通信インターフェース４０は、ＣＰＵ２０から供給されたデータをネットワーク２に送信する際の通信制御を行う。また、ネットワーク２を介して供給されたデータを受信し、受信したデータをＣＰＵ２０に供給する。なお、図４においては、バス３３に通信インターフェース４０が接続された構成となる。
【００８６】
ＤＶＤ２３が記録再生装置１’のディスクドライブ１６に装着されると、ディスクドライブ１６は、ＤＶＤ２３からプレイリスト情報を読み出し、ＣＰＵ２０に供給する。ＣＰＵ２０は、ディスクドライブ１６から供給されたプレイリスト情報に記述されている機器ＩＤであるＩＰアドレスと、ネットワーク２に接続されている記録再生装置のＩＰアドレスとを照合する。照合の結果、ネットワーク２上に合致するＩＰアドレスの記録再生装置があった場合、プレイリスト情報に基づき、そのＩＰアドレスに対応するＡＶデータのタイトルやファイル名などの一覧表示画面をタイトル制御部１７で作成し、出力処理部２４を介して外部に接続された表示装置３に表示する。
【００８７】
なお、サムネイル画像を用いて一覧表示画面を作成する場合、通信インターフェース４０を介してネットワーク２上の記録再生装置から所定のフレーム画像を受け取り、タイトル制御部１７でフレーム画像を所定に間引いて縮小したサムネイル画像を作成し、作成したサムネイル画像を並べた一覧表示画面を作成する。
【００８８】
ユーザの操作部１９に対する操作により、一覧表示されたＡＶデータの中から目的のＡＶデータのタイトルやサムネイル画像が選択されると、ＣＰＵ２０は、プレイリスト情報に記載されたＡＶデータのＵＲＬに基づき、対応するＡＶデータを通信インターフェース４０を介して外部の記録再生装置（例えば、記録再生装置１）に対してＡＶデータを要求する。記録再生装置１は、要求に応じてＡＶデータを読み出し、ネットワーク２を介して送信する。記録再生装置１’は、記録再生装置１から送信されたＡＶデータを受信し、デコーダ１８に供給する。デコーダ１８は、受信したＡＶデータをデコードし、出力処理部２４を介して外部に出力する。
【００８９】
ここで、ネットワーク２に接続された一方の記録再生装置から他方の記録再生装置に記録されたＡＶデータを再生する方法について、より具体的に説明する。例えば、図６に示すプレイリスト情報が記録されたＤＶＤ２３を、記録再生装置１’に装着し、記録再生装置１に記録されたＡＶデータを再生する場合について考える。この時、記録再生装置１には、ＩＰアドレス「１９２．１６８．１１．１」が割り当てられ、記録再生装置１’には、ＩＰアドレス「１９２．１６８．１１．２」が割り当てられているものとする。
【００９０】
ＤＶＤ２３に記録されているプレイリスト情報には、記録再生装置１の機器ＩＤ「１９２．１６８．１１．１」と記録再生装置１のＨＤＤ１５に記録されたＡＶデータ「ＸＸＸ．ｍｐｇ」、「ＹＹＹ．ｍｐｇ」、「ＺＺＺ．ｍｐｇ」のパスとの対応関係、および記録再生装置１’の機器ＩＤ「１９２．１６８．１１．２」と記録再生装置１’のＨＤＤに記録されたＡＶデータ「ＡＡＡ．ｍｐｇ」、「ＢＢＢ．ｍｐｇ」、「ＣＣＣ．ｍｐｇ」のパスとの対応関係が記述されている。ユーザがＤＶＤ２３を記録再生装置１’のディスクドライブ１６に装着すると、ディスクドライブ１６は、ＤＶＤ２３からプレイリスト情報を読み出し、ＣＰＵ２０に供給する。
【００９１】
ＣＰＵ２０は、プレイリスト情報に記述されている機器ＩＤ（ＩＰアドレス）と、ネットワーク２に接続されている記録再生装置の機器ＩＤ（ＩＰアドレス）とを照合する。照合の結果、例えば、記録再生装置１のＩＰアドレス「１９２．１６８．１１．１」および記録再生装置１’のＩＰアドレス「１９２．１６８．１１．２」がプレイリスト情報に記述されたＩＰアドレスと合致した場合、記録再生装置１’のタイトル制御部１７は、プレイリスト情報に基づき、ＩＰアドレス「１９２．１６８．１１．１」に対応するＡＶデータ「ＸＸＸ．ｍｐｇ」、「ＹＹＹ．ｍｐｇ」、「ＺＺＺ．ｍｐｇ」、およびＩＰアドレス「１９２．１６８．１１．２」に対応するＡＶデータ「ＡＡＡ．ｍｐｇ」、「ＢＢＢ．ｍｐｇ」、「ＣＣＣ．ｍｐｇ」のタイトルやファイル名といった情報の一覧表示画面を作成し、出力処理部２４を介して、表示装置３に表示する。
【００９２】
なお、サムネイル画像を用いて一覧表示画面を作成する場合、プレイリスト情報に記述されているＡＶデータのＵＲＬに基づき、通信インターフェース４０を介して記録再生装置１からＡＶデータ「ＸＸＸ．ｍｐｇ」、「ＹＹＹ．ｍｐｇ」および「ＺＺＺ．ｍｐｇ」の所定のフレーム画像を受け取り、タイトル制御部１７で、フレーム画像からサムネイル画像を作成する。また、タイトル制御部１７は、プレイリスト情報に記述されているＡＶデータのＵＲＬに基づき、ＨＤＤ１５に記録されているＡＶデータ「ＡＡＡ．ｍｐｇ」、「ＢＢＢ．ｍｐｇ」および「ＣＣＣ．ｍｐｇ」の所定のフレーム画像からサムネイル画像を作成する。そして、作成したサムネイル画像とタイトルとを対応付けて表示させた一覧表示画面を作成し、出力処理部２４を介して、表示装置３に表示する。
【００９３】
ユーザが操作部１９を操作し、一覧表示されたＡＶデータの中から目的のＡＶデータ、例えば「ＺＺＺ．ｍｐｇ」のタイトルやサムネイル画像を選択すると、ＣＰＵ２０は、プレイリスト情報に記述された当該ＡＶデータ「ＺＺＺ．ｍｐｇ」のＵＲＬに基づき、通信インターフェース４０を介して記録再生装置１に対してＡＶデータを要求する。記録再生装置１は、要求に応じてＡＶデータ「ＺＺＺ．ｍｐｇ」を読み出し、ネットワーク２を介して送信する。記録再生装置１’は、記録再生装置１から送信されたＡＶデータを受信する。受信されたＡＶデータは、デコーダ１８に供給され、デコーダ１８でＡＶデータをデコードされ、出力処理部２４を介して表示装置３で再生される。
【００９４】
このように、複数の記録再生装置を互いにネットワークに接続することにより、ネットワークに接続された一方の記録再生装置に記録されているＡＶデータを、他方の記録再生装置から再生することができ、ユーザは、どの記録再生装置にＡＶデータが記録されているかを意識することなく、ＡＶデータを再生することができる。
【００９５】
なお、上述では、２台の記録再生装置をネットワークで接続した場合について説明したが、これに限られず、例えば、２台以上の複数台の記録再生装置をネットワークで接続してもよい。
【００９６】
また、この発明の実施の第２の形態においてＡＶデータを記録する場合、ＡＶデータは、ＤＶＤを装着した記録再生装置に搭載されたＨＤＤに記録される。例えば、図５の例でいえば、記録再生装置１’にＤＶＤ２３を装着すると、記録再生装置１’に搭載されたＨＤＤにＡＶデータが記録される。
【００９７】
この発明は、上述したこの発明の実施の第１の形態、第１の形態の変形例および第２の形態に限定されるものではなく、この発明の要旨を逸脱しない範囲内で様々な変形や応用が可能である。上述では、ディジタルテレビジョン放送を記録する場合について説明したが、これに限らず、例えば、アナログテレビジョン放送を記録する場合にも適用可能である。また、例えば、記録再生装置１に磁気テープを記録媒体としたＶＴＲ（Video Tape Recorder）を接続し、磁気テープに記録されたＡＶデータをＨＤＤ１５に記録することもできる。
【００９８】
また、上述では、着脱可能な記録媒体として、記録型ＤＶＤを例にとって説明したが、これはこの例に限られない。着脱可能な記録媒体として、例えば、ＣＤ−Ｒ（Compact Disc -Recordable）、ＣＤ−ＲＷ（Compact Disc -ReWritable）といった他の種類の光ディスクや磁気ディスク、不揮発性メモリ、着脱可能なＨＤＤを用いてもよい。
【図面の簡単な説明】
【００９９】
【図１】この発明の実施の第１の形態による記録再生装置１の動作を説明するための一例の機能ブロック図である。
【図２】プレイリスト情報の一例を示す略線図である。
【図３】複数のＤＶＤを用いて、ＨＤＤに複数のＡＶデータが記録する場合について説明するための略線図である。
【図４】この発明の実施の第１の形態による記録再生装置の機能を実現するための一例の構成を示すブロック図である。
【図５】この発明の実施の第２の形態による記録再生装置の使用例を示す略線図である。
【図６】この発明の実施の第２の形態に適用可能なプレイリスト情報の一例を示す略線図である。
【図７】この発明の実施の第２の形態による記録再生装置の一例の構成を示す機能ブロック図である。
【図８】従来の記録再生装置の一例の構成を示すブロック図である。
【符号の説明】
【０１００】
１  記録再生装置
２  ネットワーク
１１  アンテナ
１２  チューナ
１３  タイトル管理部
１４  記録信号処理部
１５  ＨＤＤ
１６  ディスクドライブ
１７  タイトル制御部
１８  デコーダ
１９  操作部
２０  ＣＰＵ
２１  入力端子
２２  出力端子
２３  記録型ＤＶＤ
４０  通信インターフェース
【図１】
2007049331.tif 000003
【図２】
2007049331.tif 000004
【図３】
2007049331.tif 000005
【図４】
2007049331.tif 000006
【図５】
2007049331.tif 000007
【図６】
2007049331.tif 000008
【図７】
2007049331.tif 000009
【図８】
2007049331.tif 000010